(57)【要約】【課題】テキストデータ、音声データ、及び３次元モデルを含む３次元データを容易に作成することができる３次元データ作成方法及び装置を提供する。【解決手段】本発明は、記憶工程Ｓ１０１と、３次元モデルを表示装置１１に表示する第１表示工程Ｓ１０２と、表示装置１１に表示された３次元モデルのうち、ユーザの操作により指定された指定部分を、指定状態を識別可能に表示装置１１に表示する第２表示工程Ｓ１０３と、指定状態において、マイクロフォン１３への音声入力に応じて、音声データをテキストデータに変換する変換工程Ｓ１０４と、変換工程Ｓ１０４で変換されたテキストデータを３次元モデル上に表示する第３表示工程Ｓ１０５と、３次元モデルデータ、位置データ、音声データ、及びテキストデータをリンクさせることで３次元データを作成し記憶するデータ作成工程Ｓ１０６と、を含む。【選択図】図２
2019087069.tif 000002
【特許請求の範囲】
【請求項１】
表示装置と、ユーザが操作可能な入力装置と、マイクロフォンと、３次元モデルを前記表示装置に表示させる第１ソフトウェア及び音声をテキストに変換する第２ソフトウェアを含む記憶演算装置と、を備えるコンピュータを用いた３次元データ作成方法であって、
前記記憶演算装置が、ユーザの操作に応じて、前記３次元モデルの形状情報を含む３次元モデルデータを記憶する記憶工程と、
前記記憶演算装置が、前記３次元モデルデータに基づいて前記３次元モデルを前記表示装置に表示する第１表示工程と、
前記記憶演算装置が、前記表示装置に表示された前記３次元モデルのうち、ユーザの操作により指定された指定部分を、指定状態を識別可能に前記表示装置に表示する第２表示工程と、
前記指定状態において、前記マイクロフォンへの音声入力が行われた際、前記記憶演算装置が、当該入力された音声データをテキストデータに変換する変換工程と、
前記記憶演算装置が、前記変換工程で変換された前記テキストデータを前記３次元モデル上に前記指定部分と関連させて表示する第３表示工程と、
前記記憶演算装置が、前記３次元モデルデータ、前記指定部分の位置データ、前記指定状態で前記マイクロフォンに入力された前記音声データ、及び前記テキストデータをリンクさせることで３次元データを作成し記憶するデータ作成工程と、
を含む３次元データ作成方法。
【請求項２】
前記データ作成工程では、前記記憶演算装置が、１つの前記３次元モデルに対して１つのフォルダで前記３次元データを管理する請求項１に記載の３次元データ作成方法。
【請求項３】
前記記憶演算装置が、予め設定された複数の分類項目のうち、ユーザの選択又は前記記憶演算装置の判定により１つの前記分類項目の情報を前記テキストデータに付加する付加工程を含み、
前記第３表示工程では、前記付加工程で付加された前記分類項目及び整理番号をセットにして表示するセット表示を、前記テキストデータとは別の場所に、前記指定部分に隣接して又は引き出し線で連結して表示し、
前記第３表示工程では、１つの前記指定部分に対して複数の前記音声データ及び前記テキストデータが記憶された場合、複数の前記セット表示を並べて又は一部重ねて表示する請求項１又は２に記載の３次元データ作成方法。
【請求項４】
前記記憶演算装置が、予め設定された複数の分類項目のうち、ユーザの選択又は前記記憶演算装置の判定により１つの前記分類項目の情報を前記テキストデータに付加する付加工程を含み、
前記付加工程では、前記記憶演算装置が、前記マイクロフォンに前記音声データが入力されている際に、前記音声データに基づいて前記分類項目を判定する請求項１〜３の何れか一項に記載の３次元データ作成方法。
【請求項５】
前記３次元モデルデータは、複数の機械が配置された工場設備、建物の内観、又は建物の外観を含むモデル対象物を３次元スキャンして得られた点群データをＣＡＤデータに変換したものである請求項１〜４の何れか一項に記載の３次元データ作成方法。
【請求項６】
表示装置と、入力装置と、マイクロフォンと、３次元モデルを前記表示装置に表示させるソフトウェアを含む記憶演算装置と、を備えるコンピュータで構成された３次元データ作成装置であって、
前記記憶演算装置は、
前記３次元モデルの形状情報を含む３次元モデルデータを記憶する記憶部と、
前記３次元モデルデータに基づいて前記３次元モデルを前記表示装置に表示する表示部と、
前記表示装置に表示された前記３次元モデルのうち、ユーザの前記入力装置への入力により指定された指定部分の位置データと、前記指定部分が指定された状態で前記マイクロフォンに入力された音声データとをリンクさせて前記記憶部に記憶させるリンク形成部と、
前記音声データをテキストデータに変換する変換部と、
を備え、
前記リンク形成部は、前記テキストデータを、前記位置データ及び前記音声データとリンクさせて前記記憶部に記憶させ、
前記表示部は、前記表示装置に表示された前記３次元モデル上に前記テキストデータを表示する３次元データ作成装置。
【請求項７】
前記リンク形成部は、前記３次元モデルデータ、前記位置データ、前記音声データ、及び前記テキストデータを、前記記憶部の１つのフォルダ内に保存する請求項６に記載の３次元データ作成装置。
【請求項８】
前記表示部は、予め設定された複数の分類項目のうち、ユーザの選択又は前記記憶演算装置の判定により１つの前記分類項目の情報を前記テキストデータに付加して表示し、
前記リンク形成部は、ユーザの操作なく、前記音声データに基づいて前記分類項目を判定する請求項６又は７に記載の３次元データ作成装置。
【請求項９】
表示装置と、ユーザが操作可能な入力装置と、マイクロフォンと、２次元モデルを前記表示装置に表示させる第１ソフトウェア及び音声をテキストに変換する第２ソフトウェアを含む記憶演算装置と、を備えるコンピュータを用いた２次元データ作成方法であって、
前記記憶演算装置が、ユーザの操作に応じて、前記２次元モデルの情報を含む２次元モデルデータを記憶する記憶工程と、
前記記憶演算装置が、前記２次元モデルデータに基づいて前記２次元モデルを前記表示装置に表示する第１表示工程と、
前記記憶演算装置が、前記表示装置に表示された前記２次元モデルのうち、ユーザの操作により指定された指定部分を、指定状態を識別可能に前記表示装置に表示する第２表示工程と、
前記指定状態において、前記マイクロフォンへの音声入力が行われた際、前記記憶演算装置が、当該入力された音声データをテキストデータに変換する変換工程と、
前記記憶演算装置が、前記変換工程で変換された前記テキストデータを前記２次元モデル上に前記指定部分と関連させて表示する第３表示工程と、
前記記憶演算装置が、前記２次元モデルデータ、前記指定部分の位置データ、前記指定状態で前記マイクロフォンに入力された前記音声データ、及び前記テキストデータをリンクさせることで２次元データを作成し記憶するデータ作成工程と、
を含む２次元データ作成方法。
【発明の詳細な説明】
【技術分野】
【０００１】
本発明は、３次元データ作成方法、３次元データ作成装置、及び２次元データ作成方法に関する。
【背景技術】
【０００２】
昨今、例えば製造工程の検証として、３次元モデル上でのデザインレビューが行われている。これまで、デザインレビューを行う会議の議事録は、３次元モデル上のユーザに指定された指定部分に対して、主にユーザ（例えば議事録作成担当者等）のキーボード入力により行われていた。デザインレビューに関しては、例えば特開平１０−３２６２９８号公報に記載されている。
【先行技術文献】
【特許文献】
【０００３】
【特許文献１】特開平１０−３２６２９８号公報
【発明の概要】
【発明が解決しようとする課題】
【０００４】
しかしながら、上記のようなキーボード入力による議事録の作成には、多大な労力がかかり、また例えば発言が多岐にわたる場合や次々と発言者が変わる場合など、キーボード入力が追いつかないおそれがある。
本発明は、このような事情に鑑みて為されたものであり、例えばデザインレビューとしても利用できる、テキストデータ、音声データ、及び３次元モデルを含む３次元データを容易に作成することができる３次元データ作成方法及び３次元データ作成装置を提供することを目的とする。また、同様に、本発明は、２次元データ作成方法を提供することも目的とする。
【課題を解決するための手段】
【０００５】
本発明の３次元データ作成方法は、表示装置と、ユーザが操作可能な入力装置と、マイクロフォンと、３次元モデルを前記表示装置に表示させる第１ソフトウェア及び音声をテキストに変換する第２ソフトウェアを含む記憶演算装置と、を備えるコンピュータを用いた３次元データ作成方法であって、前記記憶演算装置が、ユーザの操作に応じて、前記３次元モデルの形状情報を含む３次元モデルデータを記憶する記憶工程と、前記記憶演算装置が、前記３次元モデルデータに基づいて前記３次元モデルを前記表示装置に表示する第１表示工程と、前記記憶演算装置が、前記表示装置に表示された前記３次元モデルのうち、ユーザの操作により指定された指定部分を、指定状態を識別可能に前記表示装置に表示する第２表示工程と、前記指定状態において、前記マイクロフォンへの音声入力が行われた際、前記記憶演算装置が、当該入力された音声データをテキストデータに変換する変換工程と、前記記憶演算装置が、前記変換工程で変換された前記テキストデータを前記３次元モデル上に前記指定部分と関連させて表示する第３表示工程と、前記記憶演算装置が、前記３次元モデルデータ、前記指定部分の位置データ、前記指定状態で前記マイクロフォンに入力された前記音声データ、及び前記テキストデータをリンクさせることで３次元データを作成し記憶するデータ作成工程と、を含む。本方法は、３次元を２次元に変えても適用できる。
【０００６】
また、本発明の３次元データ作成装置は、表示装置と、入力装置と、マイクロフォンと、３次元モデルを前記表示装置に表示させるソフトウェアを含む記憶演算装置と、を備えるコンピュータで構成された３次元データ作成装置であって、前記記憶演算装置は、前記３次元モデルの形状情報を含む３次元モデルデータを記憶する記憶部と、前記３次元モデルデータに基づいて前記３次元モデルを前記表示装置に表示する表示部と、前記表示装置に表示された前記３次元モデルのうち、ユーザの前記入力装置への入力により指定された指定部分の位置データと、前記指定部分が指定された状態で前記マイクロフォンに入力された音声データとをリンクさせて前記記憶部に記憶させるリンク形成部と、前記音声データをテキストデータに変換する変換部と、を備え、前記リンク形成部は、前記テキストデータを、前記位置データ及び前記音声データとリンクさせて前記記憶部に記憶させ、前記表示部は、前記表示装置に表示された前記３次元モデル上に前記テキストデータを表示する。
【発明の効果】
【０００７】
本発明によれば、音声データがテキストデータとして表示され、且つこれら各種データが互いにリンクされた３次元データが作成・記憶される。本発明によれば、３次元モデルを含み、且つ３次元モデルの適所に対して音声データ及びテキストデータが埋め込まれた３次元データを容易に作成することができる。また、本発明によれば、例えばデザインレビュー会議における議事録の作成について、キーボード入力を省略することができ、且つキーボード入力なく３次元データが作成されるため、議事録（デザインレビュー結果）を容易に作成することができる。同様に、本発明によれば、２次元モデル、音声データ、及びテキストデータを含む２次元データも容易に作成することができる。
【図面の簡単な説明】
【０００８】
【図１】本実施形態の３次元データ作成装置の構成図である。
【図２】本実施形態の３次元データ作成方法の流れを示すフローチャートである。
【図３】本実施形態の３次元データの記憶状態（保存状態）を説明するための概念図である。
【図４】本実施形態の表示画面例を示す説明図である。
【図５】本実施形態の表示画面例を示す説明図である。
【図６】本実施形態のセット表示の表示例を示す説明図である。
【発明を実施するための形態】
【０００９】
以下、本発明の実施形態について図に基づいて説明する。本実施形態の３次元データ作成方法は、図１に示すように、表示装置１１と、ユーザが操作可能な入力装置１２と、マイクロフォン１３と、３次元モデルを表示装置１１に表示させる第１ソフトウェア１４ａ及び音声をテキストに変換する第２ソフトウェア１４ｂを含む記憶演算装置１４と、を備えるコンピュータ１を用いた３次元データ作成方法である。表示装置１１は、ディスプレイである。入力装置１２は、キーボード１２ａ及びマウス１２ｂを備えている。マイクロフォン１３は、いわゆるマイクである。記憶演算装置１４は、ＣＰＵやメモリを備える本体部分である。記憶演算装置１４には、上記ソフトウェア１４ａ、１４ｂがインストールされており、設定された手順に応じて又はユーザの操作（例えば入力装置１２による入力等）に応じてソフトウェア１４ａ、１４ｂを実行する。記憶演算装置１４は、各装置１１〜１３と通信可能に接続されている。
【００１０】
３次元データ作成方法は、図２に示すように、記憶工程Ｓ１０１と、第１表示工程Ｓ１０２と、第２表示工程Ｓ１０３と、変換工程Ｓ１０４と、第３表示工程Ｓ１０５と、データ作成工程Ｓ１０６と、を含んでいる。記憶工程Ｓ１０１は、記憶演算装置１４が、ユーザの操作に応じて、モデル対象物（レビュー対象物）を表す３次元モデルの形状情報を含む３次元モデルデータを記憶（保存）する工程である。第１表示工程Ｓ１０２は、記憶演算装置１４が、３次元モデルデータに基づいて３次元モデルを表示装置１１に表示する工程である。第２表示工程Ｓ１０３は、記憶演算装置１４が、表示装置１１に表示された３次元モデルのうち、ユーザの操作により指定された指定部分を、指定状態を識別可能に表示装置１１に表示する工程である。指定部分は、色が濃くなる等、ある部分を指定していることをユーザが視覚的に認識可能に表示される。
【００１１】
変換工程Ｓ１０４は、上記指定状態において、マイクロフォン１３への音声入力が行われた際、記憶演算装置１４が、当該入力された音声データをテキストデータに変換する工程である。記憶演算装置１４は、ソフトウェア１４ａ、１４ｂの機能を用いて、指定状態での音声入力に応じて（入力に並行して）自動的にテキスト変換を実行するように予め設定されている。第３表示工程Ｓ１０５は、記憶演算装置１４が、変換工程Ｓ１０４で変換されたテキストデータを３次元モデル上に指定部分と関連させて（例えば指定部分に隣接して又は引き出し線で連結して）表示する工程である。当該第３表示工程Ｓ１０５も、テキスト変換とともに実行される。各表示工程Ｓ１０２、Ｓ１０３、Ｓ１０５では、ユーザの操作に応じて、３次元モデルを回転、移動、拡大、又は縮小して表示することができる。
【００１２】
データ作成工程Ｓ１０６は、記憶演算装置１４が、３次元モデルデータ、指定部分の位置データ、指定状態でマイクロフォン１３に入力された音声データ、及びテキストデータをリンクさせることで３次元データを作成し記憶する工程である。つまり、３次元データは、互いにリンクした（関連付けされた）、３次元モデルデータ、位置データ、音声データ、及びテキストデータにより構成されている。記憶演算装置１４は、上記各データを関連付けて記憶（メモリに保存）するように予め設定されている。データ同士のリンク（連携、関連付け）の技術自体は公知であり、それを利用できる。記憶された３次元データは、３次元モデルを表示する機能を備えるソフトウェアにより表示可能となる。
【００１３】
また、データ作成工程Ｓ１０６では、図３に示すように、記憶演算装置１４が、１つの３次元モデルに対して１つのフォルダで３次元データを管理する。これにより、ユーザによるデータの利用が容易となる。また、本実施形態で使用している３次元モデルデータは、複数の機械が配置された工場設備、建物の内観、又は建物の外観を含むレビュー対象物を３次元スキャンして得られた点群データをＣＡＤデータに変換したものである。この３次元モデルデータを基にした３次元データは、実際の設備の配置が精度良く反映されており、検証作業に極めて有効である。
【００１４】
具体例として、図４に示すように、工場設備を表す３次元モデルに対して、ユーザにより任意の場所（指定部分）が指定される。そして、その状態において、会議における発言者の音声がマイクロフォン１３に入力されると、当該音声データが自動的にテキストデータに変換され、発言内容がテキストで画面に表示される。そして、それらのデータがリンクされて、１つのフォルダに保存される。音声データからテキストデータへの変換は公知のソフトウェアを用いて実行している。
【００１５】
また、本方法は、記憶演算装置１４が、予め設定された複数の分類項目のうち、ユーザの選択又は記憶演算装置１４の判定により１つの分類項目の情報をテキストデータに付加する付加工程をさらに含んでいる。図４の例では、「注記」として選択された分類項目（ここでは「危険」）が表示されている。ユーザのマウス１２ｂ等の操作により選択され、情報が付加（登録）される。分類項目としては、例えば、危険、安全、重要、及び分類なし等が挙げられる。なお、図４下側の人物や発言の表示は説明のためのものであり、実際には画面に表示されない。
【００１６】
また、図５に示すように、登録された分類項目は、画面上において指定部分と視覚的にリンクするように（引き出し線により）、テキストで表示される。１つの指定部分に対して複数の発言がある場合を想定し、当該分類情報（発言情報）は、分類項目と整理番号（例えば付加された順に付された番号）により、画面に表示される。つまり、第３表示工程Ｓ１０５では、付加工程で付加された分類項目及び整理番号をセットで表示するセット表示を、テキストデータとは別の場所に、指定部分に隣接して又は引き出し線で連結して表示する。
【００１７】
このように分類項目と整理番号のセット表示がテキストとは別に表示されることで、テキストが非表示に切り替えられた場合でも、１つの指定部分に対してどの項目でどの程度（数）指摘されているかをユーザが把握しやすくなる。また、１つの指定部分に複数の指摘があった場合でも、例えば図６に示すように、複数のセット表示を並べて又は一部重ねて表示することで、指摘状況をユーザが一目で把握することができる。つまり、第３表示工程Ｓ１０５では、１つの指定部分に対して複数の音声データ及びテキストデータが記憶された場合、複数のセット表示を並べて又は一部重ねて表示する。なお、テキストデータ及びセット表示の表示／非表示は、ユーザの操作により切り替え可能である。また、ユーザがセット表示を選択することで、対応するテキストデータが（最上位に）表示される。
【００１８】
また、本方法は、記憶演算装置１４が、ユーザの操作に応じて、テキストデータを変更するテキスト変更工程をさらに含んでいる。つまり、音声データから変換されたテキストデータは、画面上でユーザにより編集可能となっている。これにより誤変換を修正することができる。分類項目についても逐次選択可能となっている。本方法の各工程は、特に記載がない場合、同時に又は順番を入れ替えて実行することができる。また、本方法における個々の機能は、公知のソフトウェアが実装されたコンピュータ１により実現される。
【００１９】
また、本実施形態は、本方法を実行する装置としても記載することができる。すなわち、図１に示すように、本実施形態の３次元データ作成装置は、表示装置１１と、入力装置１２と、マイクロフォン１３と、３次元モデルを表示装置１１に表示させる第１ソフトウェア１４ａ及び音声をテキストに変換する第２ソフトウェア１４ｂを含む記憶演算装置１４と、を備えるコンピュータ１で構成され、記憶演算装置１４は、３次元モデルの形状情報を含む３次元モデルデータを記憶する記憶部１４１と、３次元モデルデータに基づいて３次元モデルを表示装置１１に表示する表示部１４２と、３次元モデルデータと、表示装置１１に表示された３次元モデルのうち、ユーザの入力装置１２への入力により指定された指定部分の位置データと、指定部分が指定された状態でマイクロフォン１３に入力された音声データとをリンクさせて記憶部１４１に記憶させるリンク形成部１４３と、音声データをテキストデータに変換する変換部１４４と、を備え、リンク形成部１４３は、テキストデータを、３次元モデルデータ、位置データ、及び音声データとリンクさせて３次元データを作成し、表示部１４２は、表示装置１１に表示された３次元モデル上にテキストデータを表示する。
【００２０】
つまり、記憶演算装置１４は、機能又は構成として、記憶部１４１と、表示部１４２と、リンク形成部１４３と、変換部１４４と、を備えている。また、リンク形成部１４３は、互いにリンクした、３次元モデルデータ、位置データ、音声データ、及びテキストデータを、記憶部１４１の１つのフォルダ内に保存する。記憶部１４１は、例えば不揮発性メモリである。
【００２１】
本実施形態の方法及び装置によれば、音声データがテキストデータとして表示され、且つこれら各種データが互いにリンクされた３次元データが作成・記憶される。つまり、３次元モデルを含み、且つ音声データ及びテキストデータが３次元モデルの適所に対して埋め込まれた３次元データを容易に作成することができる。また、これにより、デザインレビュー会議における議事録の作成について、キーボード入力を省略することができ、且つキーボード入力なく３次元データが作成されるため、議事録（デザインレビュー結果）を容易に作成することができる。つまり、本方法は、３次元データを３次元デザインレビューデータとして利用する場合に特に有効である。また、ユーザは、３次元データをコピーして他のソフトウェア上にペーストすることもできる。
【００２２】
本発明は、上記実施形態に限られない。例えば、本方法の付加工程では、記憶演算装置１４が、マイクロフォン１３に音声データが入力されている際に、音声データに基づいて分類項目を判定しても良い。つまり、記憶演算装置１４（リンク形成部１４３）は、ユーザの操作なく、音声データに基づいて分類項目を判定し、判定された分類項目の情報をテキストデータに付加（リンク、関連付け）するように構成されても良い。例えば、発言者がマイクロフォン１３に向かって、「これから危険について話します。」と発言した場合、記憶演算装置１４は、「危険」の音声データを検出し、分類項目を「危険」と判定する。これにより、より容易にデザインレビューデータを作成することができる。ユーザは、フォルダ内で分類ごとにデータを整理することもできる。また、ソフトウェア１４ａ、１４ｂは、１つのソフトウェアであっても良い。
【００２３】
また、本方法は、３次元モデルデータに代えて２次元モデルデータを用いて行っても良い。２次元モデルデータは、例えばモデル対象物の形状を表す平面図又はモデル対象物の２次元図面（設計図を含む）などの２次元モデルの情報を含む２次元のデータである。この場合でも、上記同様の効果が発揮される。本方法では、例えば設備等の実際の２次元図面データの指定部分に対して、音声及びテキストによるレビュー（評価）を容易に埋め込むことができる。２次元モデルデータは、例えばＸＹ直交座標上に配置でき、その各部の位置情報として（Ｘ、Ｙ）座標を用いることができる。３次元モデルデータは、例えば３次元直交座標上に配置でき、その各部の位置情報として（Ｘ、Ｙ、Ｚ）座標を用いることができる。
【符号の説明】
【００２４】
１…コンピュータ、１１…表示装置、１２…入力装置、１３…マイクロフォン、１４…記憶演算装置、１４１…記憶部、１４２…表示部、１４３…リンク形成部、１４４…変換部、１４ａ…第１ソフトウェア、１４ｂ…第２ソフトウェア。
【図１】
2019087069.tif 000003
【図２】
2019087069.tif 000004
【図３】
2019087069.tif 000005
【図４】
2019087069.tif 000006
【図５】
2019087069.tif 000007
【図６】
2019087069.tif 000008
【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
表示装置と、ユーザが操作可能な入力装置と、マイクロフォンと、３次元モデルを前記表示装置に表示させる第１ソフトウェア及び音声をテキストに変換する第２ソフトウェアを含む記憶演算装置と、を備えるコンピュータを用いた３次元データ作成方法であって、
前記記憶演算装置が、ユーザの操作に応じて、前記３次元モデルの形状情報を含む３次元モデルデータを記憶する記憶工程と、
前記記憶演算装置が、前記３次元モデルデータに基づいて前記３次元モデルを前記表示装置に表示する第１表示工程と、
前記記憶演算装置が、前記表示装置に表示された前記３次元モデルのうち、ユーザの操作により指定された指定部分を、指定状態を識別可能に前記表示装置に表示する第２表示工程と、
前記指定状態において、前記マイクロフォンへの音声入力が行われた際、前記記憶演算装置が、当該入力された音声データをテキストデータに変換する変換工程と、
前記記憶演算装置が、前記変換工程で変換された前記テキストデータを前記３次元モデル上に前記指定部分と関連させて表示する第３表示工程と、
前記記憶演算装置が、前記３次元モデルデータ、前記指定部分の位置データ、前記指定状態で前記マイクロフォンに入力された前記音声データ、及び前記テキストデータをリンクさせることで３次元データを作成し記憶するデータ作成工程と、
を含み、
前記記憶演算装置が、予め設定された複数の分類項目のうち、ユーザの選択又は前記記憶演算装置の判定により１つの前記分類項目の情報を前記テキストデータに付加する付加工程を含み、
前記第３表示工程では、前記付加工程で付加された前記分類項目及び整理番号をセットにして表示するセット表示を、前記テキストデータとは別の場所に、前記指定部分に隣接して又は引き出し線で連結して表示し、
前記第３表示工程では、１つの前記指定部分に対して複数の前記音声データ及び前記テキストデータが記憶された場合、複数の前記セット表示を並べて又は一部重ねて表示する３次元データ作成方法。
【請求項２】
表示装置と、ユーザが操作可能な入力装置と、マイクロフォンと、３次元モデルを前記表示装置に表示させる第１ソフトウェア及び音声をテキストに変換する第２ソフトウェアを含む記憶演算装置と、を備えるコンピュータを用いた３次元データ作成方法であって、
前記記憶演算装置が、ユーザの操作に応じて、前記３次元モデルの形状情報を含む３次元モデルデータを記憶する記憶工程と、
前記記憶演算装置が、前記３次元モデルデータに基づいて前記３次元モデルを前記表示装置に表示する第１表示工程と、
前記記憶演算装置が、前記表示装置に表示された前記３次元モデルのうち、ユーザの操作により指定された指定部分を、指定状態を識別可能に前記表示装置に表示する第２表示工程と、
前記指定状態において、前記マイクロフォンへの音声入力が行われた際、前記記憶演算装置が、当該入力された音声データをテキストデータに変換する変換工程と、
前記記憶演算装置が、前記変換工程で変換された前記テキストデータを前記３次元モデル上に前記指定部分と関連させて表示する第３表示工程と、
前記記憶演算装置が、前記３次元モデルデータ、前記指定部分の位置データ、前記指定状態で前記マイクロフォンに入力された前記音声データ、及び前記テキストデータをリンクさせることで３次元データを作成し記憶するデータ作成工程と、
を含み、
前記記憶演算装置が、予め設定された複数の分類項目のうち、ユーザの選択又は前記記憶演算装置の判定により１つの前記分類項目の情報を前記テキストデータに付加する付加工程を含み、
前記付加工程では、前記記憶演算装置が、前記マイクロフォンに前記音声データが入力されている際に、前記音声データに基づいて前記分類項目を判定する３次元データ作成方法。
【請求項３】
前記付加工程では、前記記憶演算装置が、前記マイクロフォンに前記音声データが入力されている際に、前記音声データに基づいて前記分類項目を判定する請求項１に記載の３次元データ作成方法。
【請求項４】
前記データ作成工程では、前記記憶演算装置が、１つの前記３次元モデルに対して１つのフォルダで前記３次元データを管理する請求項１〜３の何れか一項に記載の３次元データ作成方法。
【請求項５】
前記３次元モデルデータは、複数の機械が配置された工場設備、建物の内観、又は建物の外観を含むモデル対象物を３次元スキャンして得られた点群データをＣＡＤデータに変換したものである請求項１〜４の何れか一項に記載の３次元データ作成方法。
【請求項６】
表示装置と、入力装置と、マイクロフォンと、３次元モデルを前記表示装置に表示させるソフトウェアを含む記憶演算装置と、を備えるコンピュータで構成された３次元データ作成装置であって、
前記記憶演算装置は、
前記３次元モデルの形状情報を含む３次元モデルデータを記憶する記憶部と、
前記３次元モデルデータに基づいて前記３次元モデルを前記表示装置に表示する表示部と、
前記表示装置に表示された前記３次元モデルのうち、ユーザの前記入力装置への入力により指定された指定部分の位置データと、前記指定部分が指定された状態で前記マイクロフォンに入力された音声データとをリンクさせて前記記憶部に記憶させるリンク形成部と、
前記音声データをテキストデータに変換する変換部と、
を備え、
前記リンク形成部は、前記テキストデータを、前記位置データ及び前記音声データとリンクさせて前記記憶部に記憶させ、
前記表示部は、前記表示装置に表示された前記３次元モデル上に前記テキストデータを表示し、
前記表示部は、予め設定された複数の分類項目のうち、ユーザの選択又は前記記憶演算装置の判定により１つの前記分類項目の情報を前記テキストデータに付加して表示し、
前記リンク形成部は、ユーザの操作なく、前記音声データに基づいて前記分類項目を判定する３次元データ作成装置。
【請求項７】
前記リンク形成部は、前記３次元モデルデータ、前記位置データ、前記音声データ、及び前記テキストデータを、前記記憶部の１つのフォルダ内に保存する請求項６に記載の３次元データ作成装置。
【請求項８】
表示装置と、ユーザが操作可能な入力装置と、マイクロフォンと、２次元モデルを前記表示装置に表示させる第１ソフトウェア及び音声をテキストに変換する第２ソフトウェアを含む記憶演算装置と、を備えるコンピュータを用いた２次元データ作成方法であって、
前記記憶演算装置が、ユーザの操作に応じて、前記２次元モデルの情報を含む２次元モデルデータを記憶する記憶工程と、
前記記憶演算装置が、前記２次元モデルデータに基づいて前記２次元モデルを前記表示装置に表示する第１表示工程と、
前記記憶演算装置が、前記表示装置に表示された前記２次元モデルのうち、ユーザの操作により指定された指定部分を、指定状態を識別可能に前記表示装置に表示する第２表示工程と、
前記指定状態において、前記マイクロフォンへの音声入力が行われた際、前記記憶演算装置が、当該入力された音声データをテキストデータに変換する変換工程と、
前記記憶演算装置が、前記変換工程で変換された前記テキストデータを前記２次元モデル上に前記指定部分と関連させて表示する第３表示工程と、
前記記憶演算装置が、前記２次元モデルデータ、前記指定部分の位置データ、前記指定状態で前記マイクロフォンに入力された前記音声データ、及び前記テキストデータをリンクさせることで２次元データを作成し記憶するデータ作成工程と、
を含み、
前記記憶演算装置が、予め設定された複数の分類項目のうち、ユーザの選択又は前記記憶演算装置の判定により１つの前記分類項目の情報を前記テキストデータに付加する付加工程を含み、
前記第３表示工程では、前記付加工程で付加された前記分類項目及び整理番号をセットにして表示するセット表示を、前記テキストデータとは別の場所に、前記指定部分に隣接して又は引き出し線で連結して表示し、
前記第３表示工程では、１つの前記指定部分に対して複数の前記音声データ及び前記テキストデータが記憶された場合、複数の前記セット表示を並べて又は一部重ねて表示する２次元データ作成方法。
【請求項９】
表示装置と、ユーザが操作可能な入力装置と、マイクロフォンと、２次元モデルを前記表示装置に表示させる第１ソフトウェア及び音声をテキストに変換する第２ソフトウェアを含む記憶演算装置と、を備えるコンピュータを用いた２次元データ作成方法であって、
前記記憶演算装置が、ユーザの操作に応じて、前記２次元モデルの情報を含む２次元モデルデータを記憶する記憶工程と、
前記記憶演算装置が、前記２次元モデルデータに基づいて前記２次元モデルを前記表示装置に表示する第１表示工程と、
前記記憶演算装置が、前記表示装置に表示された前記２次元モデルのうち、ユーザの操作により指定された指定部分を、指定状態を識別可能に前記表示装置に表示する第２表示工程と、
前記指定状態において、前記マイクロフォンへの音声入力が行われた際、前記記憶演算装置が、当該入力された音声データをテキストデータに変換する変換工程と、
前記記憶演算装置が、前記変換工程で変換された前記テキストデータを前記２次元モデル上に前記指定部分と関連させて表示する第３表示工程と、
前記記憶演算装置が、前記２次元モデルデータ、前記指定部分の位置データ、前記指定状態で前記マイクロフォンに入力された前記音声データ、及び前記テキストデータをリンクさせることで２次元データを作成し記憶するデータ作成工程と、
を含み、
前記記憶演算装置が、予め設定された複数の分類項目のうち、ユーザの選択又は前記記憶演算装置の判定により１つの前記分類項目の情報を前記テキストデータに付加する付加工程を含み、
前記付加工程では、前記記憶演算装置が、前記マイクロフォンに前記音声データが入力されている際に、前記音声データに基づいて前記分類項目を判定する２次元データ作成方法。
【請求項１０】
表示装置と、入力装置と、マイクロフォンと、２次元モデルを前記表示装置に表示させるソフトウェアを含む記憶演算装置と、を備えるコンピュータで構成された２次元データ作成装置であって、
前記記憶演算装置は、
前記２次元モデルの形状情報を含む２次元モデルデータを記憶する記憶部と、
前記２次元モデルデータに基づいて前記２次元モデルを前記表示装置に表示する表示部と、
前記表示装置に表示された前記２次元モデルのうち、ユーザの前記入力装置への入力により指定された指定部分の位置データと、前記指定部分が指定された状態で前記マイクロフォンに入力された音声データとをリンクさせて前記記憶部に記憶させるリンク形成部と、
前記音声データをテキストデータに変換する変換部と、
を備え、
前記リンク形成部は、前記テキストデータを、前記位置データ及び前記音声データとリンクさせて前記記憶部に記憶させ、
前記表示部は、前記表示装置に表示された前記２次元モデル上に前記テキストデータを表示し、
前記表示部は、予め設定された複数の分類項目のうち、ユーザの選択又は前記記憶演算装置の判定により１つの前記分類項目の情報を前記テキストデータに付加して表示し、
前記リンク形成部は、ユーザの操作なく、前記音声データに基づいて前記分類項目を判定する２次元データ作成装置。
【手続補正３】
【補正対象書類名】明細書
【補正対象項目名】０００５
【補正方法】変更
【補正の内容】
【０００５】
本発明の３次元データ作成方法は、表示装置と、ユーザが操作可能な入力装置と、マイクロフォンと、３次元モデルを前記表示装置に表示させる第１ソフトウェア及び音声をテキストに変換する第２ソフトウェアを含む記憶演算装置と、を備えるコンピュータを用いた３次元データ作成方法であって、前記記憶演算装置が、ユーザの操作に応じて、前記３次元モデルの形状情報を含む３次元モデルデータを記憶する記憶工程と、前記記憶演算装置が、前記３次元モデルデータに基づいて前記３次元モデルを前記表示装置に表示する第１表示工程と、前記記憶演算装置が、前記表示装置に表示された前記３次元モデルのうち、ユーザの操作により指定された指定部分を、指定状態を識別可能に前記表示装置に表示する第２表示工程と、前記指定状態において、前記マイクロフォンへの音声入力が行われた際、前記記憶演算装置が、当該入力された音声データをテキストデータに変換する変換工程と、前記記憶演算装置が、前記変換工程で変換された前記テキストデータを前記３次元モデル上に前記指定部分と関連させて表示する第３表示工程と、前記記憶演算装置が、前記３次元モデルデータ、前記指定部分の位置データ、前記指定状態で前記マイクロフォンに入力された前記音声データ、及び前記テキストデータをリンクさせることで３次元データを作成し記憶するデータ作成工程と、を含み、前記記憶演算装置が、予め設定された複数の分類項目のうち、ユーザの選択又は前記記憶演算装置の判定により１つの前記分類項目の情報を前記テキストデータに付加する付加工程を含み、前記第３表示工程では、前記付加工程で付加された前記分類項目及び整理番号をセットにして表示するセット表示を、前記テキストデータとは別の場所に、前記指定部分に隣接して又は引き出し線で連結して表示し、前記第３表示工程では、１つの前記指定部分に対して複数の前記音声データ及び前記テキストデータが記憶された場合、複数の前記セット表示を並べて又は一部重ねて表示する。また、前記記憶演算装置が、予め設定された複数の分類項目のうち、ユーザの選択又は前記記憶演算装置の判定により１つの前記分類項目の情報を前記テキストデータに付加する付加工程を含み、前記付加工程では、前記記憶演算装置が、前記マイクロフォンに前記音声データが入力されている際に、前記音声データに基づいて前記分類項目を判定してもよい。本方法は、３次元を２次元に変えても適用できる。
【手続補正４】
【補正対象書類名】明細書
【補正対象項目名】０００６
【補正方法】変更
【補正の内容】
【０００６】
また、本発明の３次元データ作成装置は、表示装置と、入力装置と、マイクロフォンと、３次元モデルを前記表示装置に表示させるソフトウェアを含む記憶演算装置と、を備えるコンピュータで構成された３次元データ作成装置であって、前記記憶演算装置は、前記３次元モデルの形状情報を含む３次元モデルデータを記憶する記憶部と、前記３次元モデルデータに基づいて前記３次元モデルを前記表示装置に表示する表示部と、前記表示装置に表示された前記３次元モデルのうち、ユーザの前記入力装置への入力により指定された指定部分の位置データと、前記指定部分が指定された状態で前記マイクロフォンに入力された音声データとをリンクさせて前記記憶部に記憶させるリンク形成部と、前記音声データをテキストデータに変換する変換部と、を備え、前記リンク形成部は、前記テキストデータを、前記位置データ及び前記音声データとリンクさせて前記記憶部に記憶させ、前記表示部は、前記表示装置に表示された前記３次元モデル上に前記テキストデータを表示し、前記表示部は、予め設定された複数の分類項目のうち、ユーザの選択又は前記記憶演算装置の判定により１つの前記分類項目の情報を前記テキストデータに付加して表示し、前記リンク形成部は、ユーザの操作なく、前記音声データに基づいて前記分類項目を判定する。